(57)【要約】      （修正有）【課題】蓋体部の前表面と電子装置外殻の外表面が平坦に揃い、内に窪んだり外に突出するなど外観のデコボコが出現しないカードコネクターを提供する。【解決手段】カードコネクターは、電子装置３００内部に設置し、絶縁本体、複数の導電端子、少なくとも１個のカードイジェクト機構、トレイ６０、少なくとも一組の復位機構５０、遮蔽ハウジングを備える。絶縁本体には収容空間を設置し、複数の導電端子は絶縁本体上に固定し、カードイジェクト機構は絶縁本体片側に前後スライド状に設置し、トレイ６０は収容空間内に前後スライド状に設置し、本体部６１、本体部前端に設置する蓋体部６２を備え、復位機構５０は絶縁本体の前部に設置し、絶縁本体の前表面に弾性状に突出し、復位機構の前部は蓋体部の後表面に弾性状に接触する。これによりトレイは復位機構が電子装置外殻の内表面に弾性状に接触するまで前方へと移動し、外観にデコボコが出現しない。【選択図】図５
0003188313.tif 000002
【実用新案登録請求の範囲】
【請求項１】
カードコネクターは、電子装置内部に設置し、前記電子装置の回路板と電子カードとを連接するために用い、前記電子装置の外殻上には、開口を開設し、
絶縁本体、複数の導電端子、少なくとも１個のカードイジェクト機構、トレイ、少なくとも一組の復位機構、遮蔽ハウジングを備え、
前記絶縁本体には、収容空間を設置し、
前記複数の導電端子は、前記絶縁本体上に固定し、前記収容空間内に進入し、
前記カードイジェクト機構は、前記絶縁本体片側に、前後スライド状に設置し、
前記トレイは、前記電子カードを載せるために用い、開口位置より、前記収容空間内に、前後スライド状に設置し、本体部、前記本体部前端に設置する蓋体部を備え、前記蓋体部の左右両側及び上下両側は共に、前記本体部を超過し、前記蓋体部の大きさ及び形状は、前記開口の大きさ及び形状に対応し、
前記少なくとも一組の復位機構は、前記絶縁本体の前部に設置し、前記絶縁本体の前表面に弾性状に突出し、前記復位機構の前部は、前記蓋体部の後表面及び前記電子外殻の内表面に弾性状に接触し、
前記遮蔽ハウジングは、前記絶縁本体の外部を覆って固定することを特徴とするカードコネクター。
【請求項２】
前記絶縁本体は、基板を備え、
前記基板の相対する両側には、それぞれ上向きに突出し、第一側壁、第二側壁を設置し、
前記基板の後側は、上向きに突出し、前記第一側壁と前記第二側壁に連接する第三側壁を形成し、
前記第一側壁、前記第二側壁、前記第三側壁、前記基板は取り囲み、前記収容空間を形成することを特徴とする請求項１に記載のカードコネクター。
【請求項３】
前記第一側壁前部の上表面には、第一収容槽を開設し、
前記第一側壁前表面の上部には、前記第一収容槽と連通する第一開槽を内向きに開設し、
前記第二側壁内表面の前部には、内へと突出し、第一凸ブロックを設置し、
前記第一凸ブロックは、前記収容空間に近い側の上表面に、第一収容槽を開設し、前記第一凸ブロックの前表面の上部には、前記第一収容槽と連通する第一開槽を上向きに開設し、
前記復位機構は、接触部と弾性部品を備え、前記接触部の後部は、前記第一収容槽内に収容され、前記接触部の前部は、前記第一開槽内にスライド状に設置され、前記第一側壁と前記第一凸ブロックの前表面に突出し、前記弾性部品は、前記第一収容槽内に設置され、前記弾性部品の一端は、前記第一収容槽の後壁に接触し、前記弾性部品の反対端は、前記接触部の後表面に接触することを特徴とする請求項２に記載のカードコネクター。
【請求項４】
前記第一収容槽の後壁上には、第一凸柱を突出状に設置し、
前記接触部は、接触基部を備え、前記接触基部の後表面は、可動部を後方へと突出し、前記可動部後端縁の左右両側面と底面は、外へと突出し、位置限定部を設置し、前記可動部の後表面は後方へと突出し、第四凸柱を設置し、
前記接触部の可動部は、前記第一開槽内にスライド状に設置し、前記接触基部は、前記第一側壁と前記第一凸ブロックの前表面に突出し、前記接触部の位置限定部と第四凸柱は、前記第一収容槽内に進入し、
前記弾性部品の一端は、前記第一凸柱上に嵌めて設置し、前記弾性部品の反対端は、前記第四凸柱上に嵌めて設置し、前記位置限定部の後表面に接触することを特徴とする請求項３に記載のカードコネクター。
【請求項５】
前記カードコネクターカードコネクターは、２個の係合支持弾力片を備え、
前記２個の係合支持弾力片は、前記絶縁本体の両側を、それぞれ固定して支持し、
前記トレイ本体部の両側には共に、係合支持凹槽を開設し、
前記トレイを、前記収容空間内に設置する時、前記係合支持弾力片と前記係合支持凹槽は係合して対応することを特徴とする請求項３に記載のカードコネクター。
【請求項６】
前記係合支持弾力片は、固定支持部、前記固定支持部一端と連接する弾性部を備え、
前記弾性部の中央は、外向きにプレスされ、アーチ型を呈する係合部を設置し、
前記第一側壁後部の上表面には、前記収容空間と連通する弾性片固定支持槽を開設し、  前記第一凸ブロック後表面の、前記収容空間に近い側は、矩形状の第二と凸ブロックを後方へと突出し、前記第二凸ブロック上には、前記収容空間と連通する弾力片固定支持槽を開設し、前記係合支持弾力片の固定支持部と弾性部は共に、前記弾力片固定支持槽内に固定され、前記係合支持部は、前記収容空間内に進入し、前記係合支持凹槽と係合して対応することを特徴とする請求項５に記載のカードコネクター。
【請求項７】
前記カードイジェクト機構は、スライドブロック、バネ、ガイド部品を備え、
前記バネの一端は、前記絶縁本体上に接触し、前記バネの反対端は、前記スライドブロック上に接触し、
前記第一凸ブロックの、前記第二側壁に近い側の上表面には、ハート型槽を開設し、
前記ガイド部品の一端は、前記スライドブロック上に係合され、前記ガイド部品の反対端は、前記ハート型槽内にスライド状に設置されることを特徴とする請求項３に記載のカードコネクター。
【請求項８】
前記スライドブロックは、基部を備え、
前記基部の片側面の後部は、外側へと突出し、停止部を設置し、
前記停止部の後端は、外側へと突出し、カードイジェクト部を設置し、
前記基部の下表面の、前記カードイジェクト部から離れた側には、前後に延伸する第一ガイドレールを、下方へと突出状に設置し、前記基部の下表面のカードイジェクト部に近い側には、前後に延伸する第二ガイドレールを、下方へと突出状に設置し、
前記基板上表面の、前記第二側壁に近い側の後部には、前後に延伸する第一ガイド槽を開設し、前記基板上表面の、前記収容空間に近い側の後部には、前後に延伸する第二ガイド槽を開設し、
前記スライドブロックの第一ガイドレールは、前記第一ガイド槽内二スライド状に設置され、前記スライドレールの第二ガイドレールは、前記第二ガイド槽内にスライド状に設置され、
前記スライドブロックのカードイジェクト部は、前記収容空間内に進入し、前記本体部の後壁は、前記スライドブロックのカードイジェクト部に接触することを特徴とする請求項７に記載のカードコネクター。
【請求項９】
前記カードイジェクト部の下表面には、ガイド凸ブロックを下向き突出状に設置し、
前記基板上表面の、前記第二側壁に近い側の後部には、ガイド開槽を開設し、前記ガイド凸ブロックは、前記ガイド開槽内にスライド状に収容されることを特徴とする請求項８に記載のカードコネクター。
【請求項１０】
前記本体部上には、カード収容槽を開設し、
前記電子カードは、前記カード収容槽内に設置されることを特徴とする請求項１に記載のカードコネクター。
【考案の詳細な説明】
【技術分野】
【０００１】
本考案はコネクターに関し、特にカードコネクターに関する。
【背景技術】
【０００２】
特許文献１に示すカードコネクターは、絶縁本体、絶縁本体上に固定し、しかも電子カードとの相互対応に用いる導電端子、絶縁本体片側に設置するカードイジェクト機構、電子カードを載せるトレイを備える。絶縁本体上には、収容空間を開設する。トレイは、本体部、本体部前端に位置する蓋体を備える。蓋体の片側には、貫通孔を設置する。トレイの本体部は、収容空間内に設置する。カードイジェクト機構は、押し棒、押し棒と相互に押し合う執行部品を備える。電子カードを取外す時には、針を利用し、蓋体の貫通孔を通過させ、押し棒を押し上げる。押し棒は、執行部品を押して動かし、内部に電子カードを設置するトレイを押し出す。電子カードを設置する時には、電子カードをトレイの本体部内に設置し、トレイを内側へと設置位置まで押して移動させる。
【０００３】
しかし、カードコネクターと回路板を組み立てる時の公差とカードコネクターそのものの公差により、トレイの蓋体外側面と電子装置外殻の外表面を、平坦にすることができない。それにより、内に陥没し、或いは外に突出する状態を招き、外観がデコボコしている。本考案は、従来のカードコネクターの上記した欠点に鑑みてなされたものである。
【先行技術文献】
【特許文献】
【０００４】
【特許文献１】台湾実用新案第M４３９２８３号
【考案の概要】
【考案が解決しようとする課題】
【０００５】
本考案が解決しようとする課題は、トレイの蓋体部の外側面と電子装置の外殻の外表面とが平坦でなく、外観がデコボコするという従来の技術に存在する欠点を解決することができるカードコネクターを提供することである。
【課題を解決するための手段】
【０００６】
上記課題を解決するため、本考案は下記のカードコネクターを提供する。
カードコネクターは、電子装置内部に設置し、該電子装置の回路板と電子カードとを連接するために用い、該電子装置の外殻上には、開口を開設し、
カードコネクターは、絶縁本体、複数の導電端子、少なくとも１個のカードイジェクト機構、トレイ、少なくとも一組の復位機構、遮蔽ハウジングを備え、
該絶縁本体には、収容空間を設置し、
該複数の導電端子は、該絶縁本体上に固定し、該収容空間内に進入し、
該カードイジェクト機構は、該絶縁本体片側に、前後スライド状に設置し、
該トレイは、該電子カードを載せるために用い、開口位置より、該収容空間内に、前後スライド状に設置し、本体部、該本体部前端に設置する蓋体部を備え、該蓋体部の左右両側及び上下両側は共に、該本体部を超過し、該蓋体部の大きさ及び形状は、該開口の大きさ及び形状に対応し、
該復位機構は、該絶縁本体の前部に設置し、該絶縁本体の前表面に弾性状に突出し、該復位機構の前部は、該蓋体部の後表面及び該電子外殻の内表面に弾性状に接触し、
該遮蔽ハウジングは、該絶縁本体の外部を覆って固定する。
【考案の効果】
【０００７】
本考案のカードコネクターは、絶縁本体前部により、復位機構を設置することで、復位機構は、絶縁本体の前表面に弾性状に突出し、トレイの蓋体部の後表面に弾性状に接触し、これにより復位機構が電子装置外殻の内表面に弾性状に接触するまで、トレイは前方へと移動する。こうして、蓋体部の前表面と電子装置外殻の外表面は平坦に揃い、内に窪んだり、外に突出したりなどの外観のデコボコが出現することはない。
【図面の簡単な説明】
【０００８】
【図１】本考案カードコネクター実施例の立体図である。
【図２】図１に示す本考案カードコネクターの立体分解図である。
【図３】本考案カードコネクターのスライドブロックの立体図である。
【図４】本考案カードコネクターに電子カードをセットする時のセット過程を示す状態図である。
【図５】本考案カードコネクターに電子カードをセット後の状態図である。
【図６】本考案カードコネクターから電子カードを取外す時の状態図である。
【考案を実施するための形態】
【０００９】
以下に図面を参照しながら本考案を実施するための最良の形態について詳細に説明する。
【実施例】
【００１０】
図１、２、５、６に示すように、本考案カードコネクター１００は、電子装置３００内部に設置し、電子装置３００の回路板(図示なし)と電子カード２００とを連接するために用いる。電子装置３００の外殻上には、開口３０１を開設する。カードコネクター１００は、絶縁本体１０、複数の導電端子２０、少なくとも１個のカードイジェクト機構３０、２個の係合支持弾力片４０、少なくとも一組の復位機構５０、電子カード２００を載せるために用いるトレイ６０、遮蔽ハウジング７０を備える。
【００１１】
図２に示すように、絶縁本体１０は、基板１１を備える。基板１１の相対する両側には、それぞれ上向きに突出し、第一側壁１２、第二側壁１３を設置する。基板１１の後側は、上向きに突出し、第一側壁１２と第二側壁１３に連接する第三側壁１４を形成する。第一側壁１２、第二側壁１３、第三側壁１４、基板１１は取り囲み、収容空間１５を形成する。基板１１は、収容空間１５位置に、横方向に配列する複数の第一開口１１１と複数の第二開口１１２を開設する。第一側壁１２後部の上表面には、収容空間１５と連通する弾力片固定支持槽１２１を開設する。第一側壁１２前部の上表面には、第一収容槽１２２を開設する。第一収容槽１２２の後壁上には、第一凸柱１２３を突出状に設置する。第一側壁１２前表面の上部には、第一収容槽１２２と連通する第一開槽１２４を内向きに開設する。第一開槽１２４の下表面は、弧状面である。
【００１２】
図２に示すように、第二側壁１３内表面の前部には、内へと突出し、矩形状を呈する第一凸ブロック１３１を設置する。第一凸ブロック１３１の後表面の、収容空間１５に近い側は、後方へと突出し、矩形状を呈する第二凸ブロック１３２を形成する。第一凸ブロック１３１は、第二側壁１３に近い側の上表面に、ハート型槽１３３を開設する。ハート型槽１３３内には、係合部１３４を突出状に設置する。第一凸ブロック１３１の収容空間１５に近い側の上表面には、第一収容槽１３５を開設する。第一収容槽１３５の後壁上には、第一凸柱１３６を突出状に設置する。第一凸ブロック１３１前表面の上部には、第一収容槽１３５と連通する第一開槽１３７を内向きに開設する。第一開槽１３７の下表面は円弧面である。第二凸ブロック１３２上には、収容空間１５と連通する弾力片固定支持槽１３８を開設する。基板１１上表面の、第二側壁１３に近い側の後部には、前後に延伸し、弧状を呈する第一ガイド槽１１３を開設する。基板１１上表面の、収容空間１５に近い側の後部には、前後に延伸し、矩形を呈する第二ガイド槽１１４を開設する。第一ガイド槽１１３と第二ガイド槽１１４は共に、第三側壁１４の前表面と第一凸ブロック１３１の後表面へと延伸する。基板１１上表面の、第二側壁１３に近い側の後部には、後方へと、第三側壁１４前表面まで延伸するガイド開槽１１５を開設する。第三側面１４前表面の第一ガイド槽１１３位置には、第二凸柱１４１を突出状に設置する。
【００１３】
図２に示すように、複数の導電端子２０はどれも、固定支持部２１、固定支持部２１中央からプレス形成され、先ず後上方へと湾曲して延伸し、次に下方へと湾曲して延伸する接触部２２、固定支持部２１後端縁から先ず後方へと湾曲して延伸し、次に下方へと湾曲し、さらに後方へと湾曲して延伸する溶接部２３を備える。
【００１４】
図２、３に示すように、カードイジェクト機構３０は、スライドブロック３１、バネ３２、ガイド部品３３を備える。スライドブロック３１は、矩形状を呈する基部３１１を備える。基部３１１片側面の後部は、外側へと突出して、矩形状の停止部３１２を設置する。停止部３１２の後端は外側へ向い、カードイジェクト部３１３を設置する。カードイジェクト部３１３の下表面は、下方へと突出し、ガイドと凸ブロック３１４を設置する。基部３１１の下表面の、カードイジェクト部３１３から離れた側は、下方へと突出し、前後に延伸する弧状を呈する第一ガイドレール３１５を設置する。基部３１１の下表面のカードイジェクト部３１３に近い側は下方へと突出し、前後に延伸して矩形状を呈する第二ガイドレール３１６を設置する。基部３１１は、カードイジェクト部３１３から離れた側の後部に、矩形欠槽３１７を開設する。基部３１１は、欠槽３１７位置に、後方へと向かい突出し、第三凸柱３１８を設置する。基部３１１上表面の前部は、挿入接続孔３１９を下方へと開設する。
【００１５】
図２に示すように、係合支持弾力片は、固定支持部４１、固定支持部４１一端に連接する弾性部４２を備える。弾性部４２の中央部は、外向きにプレスして、アーチ型を呈する係合支持部４２１を設置する。
【００１６】
図２に示すように、復位機構５０はどれも、接触部５１、弾性部品５２を備える。接触部５１は、矩形状の接触基部５１１を備える。接触基部５１１の後表面は、可動部５１２を後方へと突出する。可動部５１２の下表面は、円弧面である。可動部５１２後端縁の左右両側面と底面は、外へと突出して、位置限定部５１３を設置する。可動部５１２の後表面は、後方へと突出して第四凸柱５１４を設置する。
【００１７】
図２、６に示すように、トレイ６０は、矩形板状を呈する本体部６１、本体部６１前端に設置する蓋体部６２を備える。蓋体部６２の左右両側及び上下両側は共に、本体部６１を超過する。蓋体部６２の大きさ及び形状は、開口３０１の大きさ及び形状に対応する。本体部６１の上表面には、電子カード２００を収容するのに用いるカード収容槽６３を開設する。本体部６１の両側には共に、係合支持凹槽６４を開設する。
【００１８】
図１〜６に示すように、本考案カードコネクター１００の組立て時には、先ず、各導電端子２０を、絶縁本体１０に固定し、収容空間１５内に進入させる。具体的には、各固定支持部２１は、絶縁本体１０の基板１１内に固定する。各接触部２２は、第一開口１１１内に収容し、しかも基板１１の上表面に突出させ、収容空間１５内に進入させる。各溶接部２３は、第二開口１１２内にそれぞれ収容し、回路板(図示なし)上に溶接する。
【００１９】
次に、２個の係合支持弾力片４０で、絶縁本体１０の両側をそれぞれ固定して支持する。具体的には、係合支持弾力片４０の固定支持部４１と弾性部４２は共に、弾力片固定支持槽１２１と弾力片固定支持槽１３８内に固定して支持される。係合支持部４２１は、収容空間１５内に進入する。
【００２０】
さらに、カードイジェクト機構３０を、絶縁本体１０上にスライド状に設置する。具体的には、スライドブロック３１の第一ガイドレール３１５を、第一ガイド槽１１３内にスライド状に設置する。スライドブロック３１の第二ガイドレール３１６は、第二ガイド槽１１４内にスライド状に設置する。スライドブロック３１のカードイジェクト部３１３は、収容空間１５内に進入する。ガイド凸ブロック３１４は、ガイド開槽１１５内に、スライド状に収容される。バネ３２の一端は、第二凸柱１４１に嵌めて設置し、第三側壁１４上に接触する。バネ３２の反対端は、第三凸柱３１８に嵌めて設置し、スライドブロック３１の基部３１１上に接触する。バネ３２の弾力により、スライドブロック３１は前方へと基部３１１の前表面が第一凸ブロック１３１の後表面に接触するまで、押される。停止部３１２の前表面は、第二凸ブロック１３２の後表面に接触する。ガイド部品３３の一端は、挿入接続孔３１９内に係合して設置し、反対端は、ハート型槽１３３内にスライド状に設置する。
【００２１】
続いて、２組の復位機構５０を、絶縁本体１０の前部に設置する。２組の復位機構５０は、絶縁本体１０の前表面に弾性状に突出する。具体的には、２個の接触部５１前部の可動部５１２は、第一開槽１２４と第一開槽１３７内にそれぞれスライド状に設置する。２個の接触部５１前端の接触基部５１１は、第一側壁１２と第一凸ブロック１３１の前表面に、それぞれ突出する。２個の接触部５１後部の位置限定部５１３と第四凸柱５１４は、第一収容槽１２２と第一収容槽１３５内に、それぞれ進入する。２個の弾性部品５２は、第一収容槽１２２と第一収容槽１３５内に、それぞれ設置する。２個の弾性部品５２の一端は、第一凸柱１２３と第一凸柱１３６上にそれぞれ嵌めて設置し、第一収容槽１２２と第一収容槽１３５の後壁に接触する。２個の弾性部品５２の反対端は、第四凸柱５１４上に嵌めて設置し、接触部５１の位置限定部５１３後表面に接触する。２個の弾性部品５２の弾力により、位置限定部５１３の前表面が、第一収容槽１２２と第一収容槽１３５の前壁に接触するまで、２個の接触部５１を前方へ押す。２個の接触基部５１１の前表面は、電子装置３００外殻の内表面に接触する。
【００２２】
さらに、トレイ６０を、開口３０１位置より、収容空間１５内に、前後スライド状に設置する。本体部６１の後壁は、スライドブロック３１のカードイジェクト部３１３に接触する。復位機構５０前部の接触基部５１１は、蓋体部６２の後表面に弾力上に接触する。係合支持弾力片４０と係合支持凹槽６４は、係合して対応する。最後に、遮蔽ハウジング７０を、絶縁本体１０の外部に蓋をして設置する。
【００２３】
図１〜５に示すように、電子カード２００を本考案カードコネクター１００にセットする時には、トレイ６０を引き出し、電子カード２００を、カード収容槽６３内にセットする。トレイ６０の蓋体部６２を押し、トレイ６０を後方へと移動させる。本体部６１の両側壁は、係合支持部４２１に接触する。これにより、係合支持弾力片４０の弾性部４２は、圧縮されて変形する。蓋体部６２の後表面は、接触基部５１１の前表面に接触する。弾性部品５２は、圧縮されて、弾性エネルギーを蓄える。本体部６１の後壁が、スライドブロック３１のカードイジェクト部３１３に接触すると、スライドブロック３１を押して、第一ガイド槽１１３、第二ガイド槽１１４、ガイド開槽１１５に沿って、後方へと移動させる。バネ３２は圧縮され、弾性エネルギーを蓄える。ガイド部品３３は、ハート型槽１３３に沿って後方へと移動する。トレイ６０の後壁が第三側壁１４の前表面に接触するまで、継続して後方へと移動させる。手を放すと、バネ３２の弾力により、スライドブロック３１を前方へと押して移動させる。ガイド部品３３は、ハート型槽１３３内の一端において、ハート型槽１３３に沿って、係合部１３４上に接触する。係合支持弾力片４０の係合支持部４２１とトレイ６０の本体部６１の係合支持凹槽６４とは、係合して対応する。弾性部品５２は、接触部５１に弾性状に接触し、前方へと移動させる。接触基部５１１は、蓋体部６２を押し、トレイ６０を連動して、接触基部５１１前表面の上部と下部が、電子装置３００外殻の内表面に接触するまで前方へと移動させる。蓋体部６２の前表面と電子装置３００外殻の外表面とは平坦に揃う。電子カード２００上のピンは、導電端子２０の接触部２２と相互に接触し、トレイ６０と電子カード２００とは固定される。
【００２４】
図２、４〜６に示すように、電子カード２００を取外す時には、後方へと力を入れてトレイ６０の蓋体部６２を押す。トレイ６０の本体部６１は、スライドブロック３１を後方へと押してスライドさせる。ガイド部品３３は、ハート型槽１３３内の一端において、係合部１３４を離れる。手を放すと、バネ３１の弾力に押され、カードイジェクト機構３０は、基部３１１の前表面が、第一凸ブロック１３１の後表面に接触するまで、第一ガイド槽１１３、第二ガイド槽１１４、ガイド開槽１１５に沿って、前方へとスライド移動させられる。停止部３１２の前表面は、第二凸ブロック１３２の後表面に接触する。これと同時に、トレイ６０の本体部６１は、カードイジェクト機構３０のカードイジェクト部３１３により、押されて前方へと移動する。トレイ６０の前端は、電子装置３００外からの前表面に突出し、トレイ６０を引き出した後、電子カード２００を便利に取外すことができる。
【００２５】
上記したように、本考案のカードコネクター１００は、絶縁本体１０前部により、復位機構５０を設置する。復位機構５０は、絶縁本体１０の前表面に弾性状に突出し、トレイ６０の蓋体部６２の後表面に弾性状に接触する。これにより、復位機構５０が、電子装置３００外殻の内表面に弾性状に接触するまで、トレイ６０は前方へと移動する。こうして、蓋体部６２の前表面と電子装置３００外殻の外表面は平坦に揃い、内に窪んだり、外に突出したりなどの外観のデコボコが出現することはない。
【符号の説明】
【００２６】
１００  カードコネクター
１０  絶縁本体
１１  基板
１１１  第一開口
１１２  第二開口
１１３  第一ガイド槽
１１４  第二ガイド槽
１１５  ガイド開槽
１２  第一側壁
１３  第二側壁
１３１  第一凸ブロック
１３２  第二凸ブロック
１３３  ハート型槽
１３４  係合部
１４  第三側壁
１４１  第二凸柱
１５  収容空間
２０  導電端子
２１  固定支持部
２２  接触部
２３  溶接部
３０  カードイジェクト機構
３１  スライドブロック
３１１  基部
３１２  停止部
３１３  カードイジェクト部
３１４  ガイド凸ブロック
３１５  第一ガイドレール
３１６  第二ガイドレール
３１７  欠槽
３１８  第三凸柱
３１９  挿入接続孔
３２  バネ
３３  ガイド部品
４０  係合支持弾力片
４１  固定支持部
４２  弾性部
４２１  係合支持部
５０  復位機構
５１  接触部
５１１  接触基部
５１２  可動部
５１３  位置限定部
５１４  第四凸柱
５２  弾性部品
６０  トレイ
６１  本体部
６２  蓋体部
６３  カード収容槽
６４  係合支持凹槽
７０  遮蔽ハウジング
２００  電子カード
３００  電子装置
３０１  開口
１２１、１３８  弾力片固定支持槽
１２２、１３５  第一収容槽
１２３、１３６  第一凸柱
１２４、１３７  第一開槽
【図１】
0003188313.tif 000003
【図２】
0003188313.tif 000004
【図３】
0003188313.tif 000005
【図４】
0003188313.tif 000006
【図５】
0003188313.tif 000007
【図６】
0003188313.tif 000008